(57)【特許請求の範囲】
【請求項１】
複数の色光を各色光毎に画像情報に応じて変調して光学像を形成する複数の光変調装置と、前記各光変調装置と対向する複数の光束入射端面を有し、前記各光変調装置で形成された光学像を合成する色合成光学装置とを備えた光学装置であって、
前記光変調装置を前記色合成光学装置の前記光束入射端面に対向して取り付けるための第１の固定部材および第２の固定部材と、前記第２の固定部材の光束入射側に配置されるカバー部材とを備え、
前記第１の固定部材は、前記光束入射端面と対向して取り付けられ光束透過用の開口を有する板状の第１基部と、前記第１基部の外周縁から光束入射側へ起立し互いに対向する一対の第１起立片とを有し、
前記第２の固定部材は、光束透過用の開口を有する板状の第２基部と、前記第２基部の外周縁から光束射出側へ起立し互いに対向する一対の第２起立片とを有し、
前記第１の固定部材および前記第２の固定部材は、前記第１基部と前記第２基部とが対向し、かつ、前記第１起立片と前記第２起立片とが互いに摺り合うように組み合わされ、
前記カバー部材は、光束通過用の開口を有する基板と、前記基板の外周縁から光束射出側へ起立し互いに対向する一対のカバー部材起立片とを有し、
前記光変調装置は、前記第２基部および前記基板に挟持されることを特徴とする光学装置。
【請求項２】
請求項１に記載の光学装置において、
前記第１の固定部材および前記第２の固定部材は、板状の金属板に板金加工を施すことで形成されていることを特徴とする光学装置。
【請求項３】
請求項１または請求項２に記載の光学装置において、
前記カバー部材は、板状の金属板に板金加工を施すことで形成されていることを特徴とする光学装置。
【請求項４】
請求項１から請求項３のいずれかに記載の光学装置において、
入射した光束を光学変換して射出する光学変換素子を備え、
前記カバー部材は、光束入射側に前記光学変換素子を支持する支持面を有していることを特徴とする光学装置。
【請求項５】
請求項１から請求項４のいずれかに記載の光学装置において、
前記一対の第１起立片および前記一対の第２起立片のいずれか一方には孔が形成され、いずれか他方には前記孔に挿入される突起が形成されていることを特徴とする光学装置。
【請求項６】
光源装置と、請求項１から請求項５のいずれかに記載の光学装置と、前記光学装置に形成された光学像を拡大投射する投射光学系とを備えていることを特徴とするプロジェクタ。
【発明の詳細な説明】
【技術分野】
【０００１】
本発明は、光学装置、および、当該光学装置を備えたプロジェクタに関する。
【背景技術】
【０００２】
従来、光源から射出された光束を、ダイクロイックミラー等を用いた色分離光学系によって三原色の赤、緑、青の色光に分離するとともに、３枚の液晶パネル（光変調装置）により色光毎に画像情報に応じて変調し、画像変調後の各色光をクロスダイクロイックプリズム（色合成光学装置）で合成し、投写レンズを介してカラー画像を拡大投写する、いわゆる三板式の光学装置を備えるプロジェクタが知られている。
【０００３】
このような光学装置では、クロスダイクロイックプリズムに液晶パネルや偏光板等の光学素子を一体に組み付けて、組立性の向上を図っている。
光学装置の組立構造の一例を挙げる（例えば、特許文献１参照）。特許文献１記載の組立構造は、クロスダイクロイックプリズムの光束入射端面に固定され、光束入射側に突出した複数のピンを有する固定部材と、液晶パネルを枠内に収納させた保持枠と、液晶パネルを介して保持枠に取り付けられ、保持枠とともに液晶パネルを挟持する支持部材とから構成されている。保持枠の枠部に形成された孔に固定部材のピンが挿通されることで、液晶パネルがクロスダイクロイックプリズムの光束入射端面に対向配置されている。
液晶パネルは、クロスダイクロイックプリズムの光束入射端面に対する適切なフォーカス・アライメント位置において、保持枠の孔が固定部材のピンに接着されることで、固定部材に固定されている。
【０００４】
【特許文献１】特開２００３−１２１９３１号公報
【発明の開示】
【発明が解決しようとする課題】
【０００５】
プロジェクタが作動すると、液晶パネルにおいて、光束の透過および電気信号による駆動等により熱が発生する。この熱は、液晶パネルの劣化、ひいては投射画像の画質悪化を招くため、出来るだけ効率よく冷却される必要がある。
また、特許文献１に記載の光学装置では、液晶パネルは、ピン側面および孔内面間の接着で固定部材に固定されているため、振動や熱により、接着面において各部材のズレが生じる恐れがある。この場合、液晶パネルの投射レンズのバックフォーカス位置からのズレや、各液晶パネル間での画素ズレが生じ、投射画像の画質悪化に繋がってしまう。
【０００６】
本発明の目的は、投射画像の画質を維持し、光変調装置で生じる熱の冷却性を向上させることのできる光学装置およびプロジェクタを提供することである。
【課題を解決するための手段】
【０００７】
前記した目的を達するために、本発明の光学装置は、複数の色光を各色光毎に画像情報に応じて変調して光学像を形成する複数の光変調装置と、前記各光変調装置と対向する複数の光束入射端面を有し、前記各光変調装置で形成された光学像を合成する色合成光学装置とを備えた光学装置であって、前記光変調装置を前記色合成光学装置の前記光束入射端面に対向して取り付けるための第１の固定部材および第２の固定部材と、前記第２の固定部材の光束入射側に配置されるカバー部材とを備え、前記第１の固定部材は、前記光束入射端面と対向して取り付けられ光束透過用の開口を有する板状の第１基部と、前記第１基部の外周縁から光束入射側へ起立し互いに対向する一対の第１起立片とを有し、前記第２の固定部材は、光束透過用の開口を有する板状の第２基部と、前記第２基部の外周縁から光束射出側へ起立し互いに対向する一対の第２起立片とを有し、前記第１の固定部材および前記第２の固定部材は、前記第１基部と前記第２基部とが対向し、かつ、前記第１起立片と前記第２起立片とが互いに摺り合うように組み合わされ、前記カバー部材は、光束通過用の開口を有する基板と、前記基板の外周縁から光束射出側へ起立し互いに対向する一対のカバー部材起立片とを有し、前記光変調装置は、前記第２基部および前記基板に挟持されることを特徴とする。
【０００８】
本発明によれば、第１起立片と第２起立片とが互いに摺り合うように組み合わされていることから、第１の固定部材および第２の固定部材を確実に組み合わせることができる。すなわち、従来と比べ、第１の固定部材および第２の固定部材の当接面が大きいことから、両起立片の当接面において両部材のズレを防ぐことができる。従って、光変調装置のバックフォーカス位置からのズレ、および、光変調装置間での画素ズレを防止することができる。
光変調装置は、光変調装置の周囲に嵌合される枠部材等を備えておらず、第２の固定部材に直接取り付けられることにより支持されている。これにより、送風が光変調装置に当たりやすくなり、光変調装置の冷却性を向上させることができる。
さらに、光変調装置が枠部材等を備えていないことから、光学装置の構成の簡素化、部品点数の低減、コスト削減、および、軽量化を図ることができる。
また、光変調装置は、第２の固定部材の光束入射側に取り付けられるため、第１の固定部材および第２の固定部材の間に形成される空間に、偏光板等の光学変換素子を配置させた場合、当該素子周囲のスペースを広くすることができる。従って、当該光学変換素子の冷却性を向上させることができる。
さらに、光変調装置の光束射出側に第２の固定部材が配置されることによって、色合成光学装置の光束入射端面で反射された戻り光を、光変調装置の光束射出側で反射させて、戻り光が光変調装置に入射することを防止することができる。
ところで、色光以外の光、例えば、光源から漏れた光や自然光等が光変調装置に入射すると、光変調装置で形成される光学像の質が損なわれる恐れがある。これに対し、本発明によれば、光変調装置の光束入射側にカバー部材を設けることにより、色光以外の光を光変調装置に入射することを防ぎ、光変調装置で形成される光学像の質を維持することができる。
【０００９】
本発明では、前記第１の固定部材および前記第２の固定部材は、板状の金属板に板金加工を施すことで形成されていることが好ましい。
本発明によれば、第１の固定部材および第２の固定部材が、板状の金属板に板金加工を施すことで形成されていることから、形成が容易となる。さらに、光変調装置が第２の固定部材に直接取り付けられるので、光変調装置で生じた熱が金属製の第２の固定部材に伝熱されやすくなる。従って、光変調装置の冷却性を向上させることができる。
【００１２】
本発明では、前記カバー部材は、板状の金属板に板金加工を施すことで形成されていることが好ましい。
本発明によれば、カバー部材は、板状の金属板に板金加工を施すことで形成されていることから、形成が容易となる。さらに、光変調装置をカバー部材に当接するように配置すると、光変調装置で生じた熱が金属製のカバー部材に伝熱されやすくなる。従って、光変調装置の冷却性を向上させることができる。
【００１３】
本発明では、入射した光束を光学変換して射出する光学変換素子を備え、前記カバー部材は、光束入射側に前記光学変換素子を支持する支持面を有していることが好ましい。
本発明によれば、光学変換素子が光学装置に一体的に設けられることから、他の部材、例えば、プロジェクタ等の機器筐体に光学変換素子を取り付けるための構成を備える必要が無い。従って、プロジェクタ等の機器の小型化および構成の簡素化を図ることができる。
光学変換素子が光学装置に一体的に設けられることから、光学装置および他の光学系装置の製造および設置後、光源から射出された光束の光軸調整を行う際に、光変調装置および光学変換素子の互いの位置調整を不要とすることができる。
【００１８】
本発明では、前記一対の第１起立片および前記一対の第２起立片のいずれか一方には孔が形成され、いずれか他方には前記孔に挿入される突起が形成されていることが好ましい。
光変調装置は、色合成光学装置で合成された光学像を拡大投射するためのバックフォーカス、および、他の光変調装置に対し、適切な位置に配置される必要がある。これに対し、本発明によれば、光変調装置の位置決め作業に際して、第１の固定部材および第２の固定部材は、孔に突起を挿入するだけで突起が孔に支持されるので、互いに離脱・脱落しない。これにより、第１および第２の固定部材の組合せ作業、および、第２の固定部材に取り付けられる光変調装置の位置決め作業を容易に行うことができる。
【００１９】
本発明のプロジェクタは、光源装置と、前述したいずれかの光学装置と、前記光学装置に形成された光学像を拡大投射する投射光学系とを備えていることを特徴とする。
本発明によれば、光学装置が前述のような作用および効果を具備するため、同様の作用および効果を享受することができる。
【発明を実施するための最良の形態】
【００２０】
以下、本発明の実施形態について説明する。なお、各実施形態において、同一構成には同一符号を配し、説明を省略する。
＜第１実施形態＞
本発明の第１実施形態を、図１〜図５を参照して説明する。
本実施形態のプロジェクタ１は、光源から射出される光束を画像情報に応じて変調して光学像を形成し、形成した光学像をスクリーン上に拡大投射するものである。プロジェクタ１は、光学変換による画像形成を行う光学ユニット４と、ここでは図示しない電源ユニット、制御ユニットおよび冷却ユニット等を備える。
〔光学ユニット４の光学系の構成〕
光学ユニット４は、図１に示すように、光源ランプ４１１から射出された光束を、光学的に処理して画像情報に対応した光学像を形成するユニットであり、インテグレータ照明光学系４１、色分離光学系４２、リレー光学系４３、光学装置４４、および、投写レンズ４６を備えている。
図１において、インテグレータ照明光学系４１は、光学装置４４を構成する３枚の液晶パネル５３（赤、緑、青の色光毎にそれぞれ液晶パネル５３Ｒ，５３Ｇ，５３Ｂと示す）の画像形成領域をほぼ均一に照明するための光学系であり、光源装置４１３と、第１レンズアレイ４１８と、ＵＶフィルタを含む第２レンズアレイ４１４と、偏光変換素子４１５と、第１コンデンサレンズ４１６と、反射ミラー４２４と、第２コンデンサレンズ４１９とを備えている。
【００２１】
これらのうち、光源装置４１３は、放射状の光線を射出する放射光源としての光源ランプ４１１と、この光源ランプ４１１から射出された放射光を反射するリフレクタ４１２とを有する。光源ランプ４１１としては、ハロゲンランプやメタルハライドランプ、または高圧水銀ランプが用いられることが多い。リフレクタ４１２としては、放物面鏡を用いている。放物面鏡の他、平行化レンズ（凹レンズ）と共に楕円面鏡を用いてもよい。
【００２２】
第１レンズアレイ４１８は、光軸方向から見てほぼ矩形状の輪郭を有する小レンズがマトリクス状に配列された構成を有している。各小レンズは、光源ランプ４１１から射出される光束を、複数の部分光束に分割している。各小レンズの輪郭形状は、液晶パネル５３の画像形成領域の形状とほぼ相似形をなすように設定されている。たとえば、液晶パネル５３の画像形成領域のアスペクト比（横と縦の寸法の比率）が４：３であるならば、各小レンズのアスペクト比も４：３に設定する。
【００２３】
第２レンズアレイ４１４は、第１レンズアレイ４１８と略同様な構成を有しており、小レンズがマトリクス状に配列された構成を有している。この第２レンズアレイ４１４は、第１コンデンサレンズ４１６および第２コンデンサレンズ４１９とともに、第１レンズアレイ４１８の各小レンズの像を液晶パネル５３上に結像させる機能を有している。
【００２４】
偏光変換素子４１５は、第２レンズアレイ４１４と第１コンデンサレンズ４１６との間に配置されるとともに、第２レンズアレイ４１４と一体でユニット化されている。このような偏光変換素子４１５は、第２レンズアレイ４１４からの光を１種類の偏光光に変換するものであり、これにより、光学装置４４での光の利用効率が高められている。
【００２５】
具体的に、偏光変換素子４１５によって１種類の偏光光に変換された各部分光は、第１コンデンサレンズ４１６および第２コンデンサレンズ４１９によって最終的に光学装置４４の液晶パネル５３Ｒ，５３Ｇ，５３Ｂ上にほぼ重畳される。偏光光を変調するタイプの液晶パネルを用いたプロジェクタでは、１種類の偏光光しか利用できないため、ランダムな偏光光を発する光源ランプ４１１からの光のほぼ半分を利用することができない。そこで、偏光変換素子４１５を用いることにより、光源ランプ４１１からの射出光をほぼ１種類の偏光光に変換し、光学装置４４での光の利用効率を高めている。なお、このような偏光変換素子４１５は、たとえば特開平８−３０４７３９号公報に紹介されている。
【００２６】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤、緑、青の３色の色光に分離する機能を有している。
【００２７】
リレー光学系４３は、入射側レンズ４３１、リレーレンズ４３３、および反射ミラー４３２、４３４を備え、色分離光学系４２で分離された色光、赤色光を液晶パネル５３Ｒまで導く機能を有している。
【００２８】
この際、色分離光学系４２のダイクロイックミラー４２１では、インテグレータ照明光学系４１から射出された光束の赤色光成分と緑色光成分とが透過するとともに、青色光成分が反射する。ダイクロイックミラー４２１によって反射した青色光は、反射ミラー４２３で反射し、フィールドレンズ４１７を通って入射側偏光板５７で偏光方向がそろえられた後、青色用の液晶パネル５３Ｂに達する。このフィールドレンズ４１７は、第２レンズアレイ４１４から射出された各部分光束をその中心軸（主光線）に対して平行な光束に変換する。他の液晶パネル５３Ｇ、５３Ｒの光入射側に設けられたフィールドレンズ４１７も同様である。
【００２９】
ダイクロイックミラー４２１を透過した赤色光と緑色光のうち、緑色光はダイクロイックミラー４２２によって反射し、フィールドレンズ４１７を通って入射側偏光板５７で偏光方向がそろえられた後、緑色用の液晶パネル５３Ｇに達する。一方、赤色光はダイクロイックミラー４２２を透過してリレー光学系４３を通り、さらにフィールドレンズ４１７を通って入射側偏光板５７で偏光方向をそろえて赤色光用の液晶パネル５３Ｒに達する。なお、このリレー光学系４３を通過するのは青色光であってもよい。
【００３０】
光学装置４４は、３枚の光変調装置としての液晶パネル５３Ｒ，５３Ｇ，５３Ｂと、光学変換素子としての入射側偏光板５７および射出側偏光板５８と、色合成光学装置としてのクロスダイクロイックプリズム４５とを備えている。
液晶パネル５３Ｒ，５３Ｇ，５３Ｂは、例えば、ポリシリコンＴＦＴをスイッチング素子として用いたものであり、色分離光学系４２で分離された各色光は、各液晶パネル５３Ｒ，５３Ｇ，５３Ｂと、これらの入射側偏光板５７および射出側偏光板５８とによって、画像情報に応じて変調されて光学像を形成する。
【００３１】
クロスダイクロイックプリズム４５は、３枚の液晶パネル５３Ｒ，５３Ｇ，５３Ｂから射出された色光毎に変調された画像を合成してカラー画像を形成するものである。なお、クロスダイクロイックプリズム４５には、青色光を反射する誘電体多層膜と赤色光を反射する誘電体多層膜とが、４つの直角プリズムの界面に沿って略Ｘ字状に形成され、これらの誘電体多層膜によって３つの色光が合成される。そして、クロスダイクロイックプリズム４５で合成されたカラー画像は、投写レンズ４６から射出され、スクリーン上に拡大投写される。なお、光学装置４４の機械的構成は後に詳説する。
以上説明した各光学系４１，４２，４３，４４，４６は、図示を省略するが、プロジェクタ１の筐体内に設置された光学部品用筐体（図示略）に収容されている。
【００３２】
本実施形態のプロジェクタ１では、光学装置４４は、プロジェクタ１に設けられたファン、吸気口および排気口（図示略）による送風により冷却される。具体的には、投写レンズ４６の両側に配置された一対のファンによって、プロジェクタ１の筐体下面に形成された吸気口から冷却空気が吸引され、冷却空気は、液晶パネル５３（５３Ｒ，５３Ｇ，５３Ｂ）と、各偏光板５７，５８とを下方から上方に向けて送風される。そして、冷却後の空気は、プロジェクタ１の筐体前面に形成された排気口から外部へ排気される。
【００３３】
〔光学装置４４の機械的構成〕
以下に、図２〜図５を参照して、本実施形態の光学装置４４の機械的構成について説明する。図２は、光学装置４４を後方から見た斜視図、図３は、該光学装置４４の分解斜視図である。なお、図２、図３では、説明の便宜上、クロスダイクロイックプリズム４５に入射する光束の光軸をＺ軸、該Ｚ軸と直交する２つの軸をＸ軸（水平軸）およびＹ軸（垂直軸）とする。
まず、図２に示すように、光学装置４４は、クロスダイクロイックプリズム４５と、クロスダイクロイックプリズム４５の＋Ｙ軸方向端面（光束入射端面と交差する一端面）に固定される台座４４５と、光束入射端面に対向する３つの光学変換部５とを備えている。なお、図２では、図を簡素化するために、１つの光学変換部５のみを示している。光学変換部５は、実際には、クロスダイクロイックプリズム４５の他の２つの光束入射端面にも配置される。
【００３４】
台座４４５は、クロスダイクロイックプリズム４５の＋Ｙ軸方向端面に固定されており、外周形状はクロスダイクロイックプリズム４５よりも若干小さい。
【００３５】
光学変換部５は、図２、図３に示すように、第１の固定部材としての固定部材５１と、第２の固定部材としての保持部材５４と、液晶パネル５３と、カバー部材５５とを備えている。
なお、固定部材５１、保持部材５４およびカバー部材５５は、板状の金属板に板金加工を施すことで形成されている。金属としては、例えば、インバー（invar）やコバール等の線膨張率の低い合金が挙げられる。
【００３６】
固定部材５１は、光学変換部５全体を支持し、クロスダイクロイックプリズム４５の光束入射端面に固定される。固定部材５１は、図３に示すように、Ｘ‐Ｚ断面がコ字状を有し、第１基部としての基板５１１と、第１起立片としての２つの固定部材起立片５１２とを備えている。
基板５１１は、光軸と直交する矩形状板であり、中央に光束を透過させる開口５１３が形成されている。
【００３７】
２つの固定部材起立片５１２は、基板５１１のＸ軸方向両縁から−Ｚ軸方向へ向かってそれぞれ起立している。固定部材起立片５１２は、テーパ状縁５１４と、長孔５１５と、注入孔５１６とを備えている。
テーパ状縁５１４は、各固定部材起立片５１２の−Ｚ軸方向先端縁に沿って形成され、−Ｚ軸方向に向かうにつれてＸ軸方向外側（もう一方の固定部材起立片５１２から離れる向き）へ広がるテーパ状を有している。
長孔５１５は、固定部材起立片５１２をＸ軸方向に貫通する略矩形状孔である。１つの固定部材起立片５１２につき、２つの長孔５１５がＹ軸方向に並列して形成されている。
注入孔５１６は、固定部材起立片５１２をＸ軸方向に貫通する略円状孔である。１つの固定部材起立片５１２につき、３つの注入孔５１６がＹ軸方向に並列して形成され、各注入孔５１６の間には、前述した長孔５１５が形成されている。
固定部材５１は、光学変換部５が構成された際に、基板５１１の＋Ｚ軸方向側端面が、クロスダイクロイックプリズム４５の光束入射端面に接着される。
【００３８】
保持部材５４は、固定部材５１の−Ｚ軸方向側に配置され、−Ｚ軸方向端面において液晶パネル５３を保持する。保持部材５４は、Ｘ‐Ｚ断面がコ字状を有し、第２基部としての基板５４１と、第２起立片としての２つの保持部材起立片５４２とを備えている。
基板５４１は、光軸と直交する矩形状板であり、基板５１１と比べて、Ｙ軸方向寸法およびＸ軸方向寸法が若干短い。基板５４１の中央には、光束を透過させる開口５４３が形成されている。基板５４１の＋Ｚ軸方向端面には、射出側偏光板５８が接着されている。
【００３９】
射出側偏光板５８は、入射された光束の透過を規制し、クロスダイクロイックプリズム４５で合成される光学像の階調を調節する。なお、射出側偏光板５８は、射出側偏光板５８が液晶パネル５３の＋Ｚ軸方向側に位置していればよく、本実施形態の接着位置に限定されるものではない。
例えば、射出側偏光板５８を、サファイア、水晶あるいは石英等の熱伝導性の良い透明基板に貼り付けた後、クロスダイクロイックプリズム４５の光束入射端面に貼り付け、この透明基板を保持部材５４に取り付ける構成としてもよい。このような構成により、射出側偏光板５８で発生された熱の放熱性を向上させることができる。
２つの保持部材起立片５４２は、基板５４１のＸ軸方向両縁から、＋Ｚ軸方向へ向かってそれぞれ起立している。各保持部材起立片５４２のＸ軸方向外側端面には、係止突起５４４がＹ軸方向に沿って２つずつ形成されている
【００４０】
保持部材５４は、光学変換部５が構成された際に、固定部材５１のコ字状内部に配置され、保持部材起立片５４２の外側端面および固定部材起立片５１２の内側端面が接着される。
保持部材５４は、液晶パネル５３を保持するとともに、クロスダイクロイックプリズム４５の光束入射端面で反射された戻り光を、液晶パネル５３の＋Ｚ軸方向側で反射させて、戻り光が液晶パネル５３に入射することを防止している。
【００４１】
液晶パネル５３は、保持部材５４の−Ｚ軸方向端面、および、カバー部材５５の＋Ｚ軸方向端面に貼り付けられ、パネルを透過する光束を画像情報に応じて変調し、光学像を形成する。
液晶パネル５３は、基板としての駆動基板５３１と、基板としての対向基板５３２と、制御用ケーブル５３３と、光透過性防塵板５３４１，５３４２とを備え、駆動基板５３１および対向基板５３２との間に、電気光学物質としての液晶が封入されている。
駆動基板５３１および対向基板５３２は、制御用ケーブル５３３から受信される制御信号に応じて、基板間で電圧を調整し、液晶の向きを変更させる。
【００４２】
駆動基板５３１の内側には、ＩＴＯ（IndiumTinOxide）などの透明導電体からなる画素電極、各画素電極に対応するＴＦＴ素子などのスイッチング素子、配線、液晶分子を配列する配向膜などが形成されている。また、対向基板５３２の内側には、前記画素電極に対応する対向電極、駆動基板の配向膜とは向きが略直交する配向膜などが形成されている。
制御用ケーブル５３３は、駆動基板５３１および対向基板５３２の各電極と、プロジェクタ１の制御基板（図省略）とを電気的に接続している。
【００４３】
光透過性防塵板５３４１，５３４２は、駆動基板５３１および対向基板５３２の光束透過面にそれぞれ固着される。光透過性防塵板５３４１，５３４２は、パネル表面に付着したゴミを光学的に目立たなくしている。また、光透過性防塵板５３４１，５３４２は、サファイア、水晶、あるいは石英等の熱伝導性の良い材料から形成されていることから、各基板５３１，５３２で生じた熱は、光透過性防塵板５３４１，５３４２により吸収されやすくなる。すなわち、光透過性防塵板５３４１，５３４２により各基板５３１，５３２の冷却性を向上させることができる。
さらに、光透過性防塵板５３４１の＋Ｚ軸方向端面は、基板５４１の−Ｚ軸方向端面の開口５４３周縁に接着され、また、光透過性防塵板５３４２の−Ｚ軸方向端面は、後述するカバー部材５５の基板５５１の＋Ｚ軸方向端面に接着される。この接着により、液晶パネル５３が、各部材５４，５５に保持される。
【００４４】
カバー部材５５は、液晶パネル５３の−Ｚ軸方向側に配置され、液晶パネル５３および入射側偏光板５７を保持するとともに、液晶パネル５３周囲の遮光を行う。カバー部材５５は、Ｘ‐Ｚ断面がコ字状を有し、基板５５１と、２つのカバー部材起立片５５２と、支持面としての２つの偏光板支持片５５５を備えている。
基板５５１は、光軸と直交する矩形状板であり、基板５４１とほぼ同等の寸法を有する。基板５５１は、光束を透過させるために中央に形成された開口５５３と、４つの各隅部において貫通形成された孔５５４とを備えている。基板５５１の＋Ｚ軸方向端面の開口５５３周縁には、液晶パネル５３の光透過性防塵板５３４２が接着される。
２つのカバー部材起立片５５２は、基板５５１のＸ軸方向両縁から＋Ｚ軸方向へ向かってそれぞれ起立している。
【００４５】
偏光板支持片５５５は、開口５５３のＸ軸方向両縁がそれぞれ−Ｚ軸方向に折り曲げられて延設され、さらに、−Ｚ軸方向先端がＸ軸方向外側へ向かって折り曲げられたものである。偏光板支持片５５５の−Ｚ軸方向端面には、入射側偏光板５７が貼り付けられる。
入射側偏光板５７は、入射された光束のうち一定方向の偏光光のみを透過させる。この入射側偏光板５７の具体的な設置方法については後述する。
【００４６】
〔光学装置４４の製造方法〕
本実施形態の光学装置４４の製造方法について説明する。なお、光学装置４４の製造には、後述する六軸調整装置（図４）、および、偏光板調整部８が用いられる。
（ａ）台座４４５を、クロスダイクロイックプリズム４５のＹ軸方向両端面に接着固定する。なお、接着固定させるための接着剤として、シリコン系接着剤が挙げられる。
（ｂ）保持部材５４を固定部材５１のコ字状内部に嵌め込み、係止突起５４４を固定部材起立片５１２の長孔５１５に係止させる。さらに、注入孔５１６を介して、固定部材起立片５１２および保持部材起立片５４２の当接面（接着面Ｓ）に、紫外線硬化型接着剤を注入する。
（ｃ）クロスダイクロイックプリズム４５の光束入射端面に、固定部材５１の基板５１１の＋Ｚ軸方向端面を紫外線硬化型接着剤を接着固定する。
【００４７】
（ｄ）カバー部材５５の基板５５１の＋Ｚ軸方向端面に、液晶パネル５３を接着固定する。
（ｅ）カバー部材５５および偏光板５８を六軸調整装置７に保持させる。
（ｆ）偏光板調整部８を操作して、液晶パネル５３に対する偏光板５７の位置を調整し、偏光板５７をカバー部材５５の偏光板支持片５５５に接着固定する。
（ｇ）六軸調整装置７によりカバー部材５５を移動させ、液晶パネル５３がクロスダイクロイックプリズム４５に対し設計位置に配置されるように、カバー部材５５を保持部材５４の−Ｚ軸方向側に配置させる（粗アライメント・フォーカス調整）。
（ｈ）保持部材５４をエアブローによって−Ｚ軸方向側へ移動させ、基板５４１の−Ｚ軸方向端面を、液晶パネル５３＋Ｚ軸方向端面に紫外線硬化型接着剤を介して当接させる（接着面Ｔ）。
【００４８】
（ｉ）六軸調整装置７から液晶パネル５３へ光束を入射し、クロスダイクロイックプリズム４５から射出される光束を確認しながら、液晶パネル５３間の相対位置を調整し、クロスダイクロイックプリズム４５で合成される各光学像の画素を一致させる（微アライメント調整）。具体的には、接着面Ｔを摺動面として、液晶パネル５３を、保持部材５４に対しＸ軸方向、Ｙ軸方向、Ｚθ方向（Ｚ軸回り）に微動させる。
（ｊ）六軸調整装置７から液晶パネル５３へ光束を入射し、クロスダイクロイックプリズム４５から射出される光束を確認しながら、液晶パネル５３を投射レンズ４６（図１）のバックフォーカスに配置させる（微フォーカス調整）。具体的には、接着面Ｓを摺動面として、保持部材５４を、固定部材５１に対してＺ軸方向、Ｘθ方向（Ｘ軸回り）、Ｙθ方向（Ｙ軸回り）に微動させる。
（ｋ）六軸調整装置７により接着面Ｓ，Ｔに紫外線を照射し、紫外線硬化型接着剤を硬化させる。これにより、各部材４４５，５１，５４が各接着面Ｓ，Ｔで互いに固定される。
（ｌ）六軸調整装置７からカバー部材５５を外す。
【００４９】
ここで、手順（ｅ）〜（ｇ），（ｌ）について、図４，図５を用いて具体的に説明する。図４は、偏光板調整部８を＋Ｚ軸方向側から見た模式図である。図５は、六軸調整装置７の先端部分を＋Ｘ軸方向側から見た模式断面図である。
なお、図４，図５では、図２、図３と同様に、クロスダイクロイックプリズム４５（図３）に入射する光束の光軸をＺ軸、該Ｚ軸と直交する２つの軸をＸ軸（水平軸）およびＹ軸（垂直軸）とする。
図４，図５に示すように、六軸調整装置７の光学素子保持部７１の＋Ｚ軸方向端面には、＋Ｚ軸方向に伸びる４本の円筒状のピン７２と、偏光板調整部８とが設けられている。ピン７２は、カバー部材５５の孔５５４の形成位置に対応して配置されている。
【００５０】
手順（ｅ）において、まず、光学素子保持部７１に形成された凹部に入射側偏光板５７を保持させておく。次に、ピン７２の先端を、カバー部材５５の−Ｚ軸方向端面の孔５５４にそれぞれ当接させる。なお、カバー部材５５には、既に、手順（ｄ）において液晶パネル５３が接着されている。
ピン７２の筒内には、膨張性のある２つのチャック７３が収容されている。ピン７２先端がカバー部材５５の孔５５４に当接された後、このチャック７３がピン７２の先端から＋Ｚ軸方向側へ送り出される。
すると、チャック７３の先端が、孔５５４を通って基板５５１の＋Ｚ軸方向端面側へ突出する。チャック７３の先端は、球状に膨張し、基板５５１の＋Ｚ軸方向端面を支持する。このようにして、カバー部材５５が六軸調整装置７の光学素子保持部７１に保持される。
【００５１】
次に、手順（ｆ）において、偏光板調整部８の光束照射部８１から光束を射出し、入射側偏光板５７および液晶パネル５３に透過させる。そして、液晶パネル５３から射出される光束を観測しながら、調整ねじ８３を調整する。調整ねじ８３の先端は、入射側偏光板５７の側端面に当接しており、この調整ねじ８３の調整に応じてばね８４がＹ軸方向に伸縮する。このように、調整ねじ８３の調整により、入射側偏光板５７は、中央部を中心にＺθ方向（Ｚ軸回り）に微回転される。
適切な射出光束が得られると、入射側偏光板５７の＋Ｚ軸方向端面を、偏光板支持片５５５に接着固定させる。すると、入射側偏光板５７を適切な姿勢で偏光板支持片５５５に設置することができる。
【００５２】
次に、手順（ｇ）において、カバー部材５５を保持させたまま六軸調整装置７を操作し、カバー部材５５を、クロスダイクロイックプリズム４５および部材５１，５４に対し設計位置に配置させる。
なお、手順（ｌ）において、紫外線照射により各部材５１〜５４が接着固定されると、六軸調整装置７は、チャック７３をピン７２内に引き込み、孔５５４からチャック７３を引き抜く。このようにして、六軸調整装置７からカバー部材５５を取り外すことができる。
このように、チャック７３によって、カバー部材５５を六軸調整装置７に保持させるので、把持や吸着によってカバー部材５５を保持する六軸調整装置に比べ、構成を簡素化することができ、また、液晶パネルを安定的に保持することができる。さらに、各部材にピン７２に対応する孔を形成すれば、光学素子保持部７１の構成を、異なる部材に対して共通化させることができる。
【００５３】
本実施形態によれば、固定部材起立片５１２と保持部材起立片５４２とが互いに摺り合うように組み合わされていることから、固定部材５１および保持部材５４を確実に組み合わせることができる。すなわち、従来と比べ、固定部材５１および保持部材５４の当接面が大きいことから、両起立片５１２，５４２の当接面において両部材５１，５４のズレを防ぐことができる。従って、液晶パネル５３のバックフォーカス位置からのズレ、および、液晶パネル５３間での画素ズレを防止することができる。
また、板金材料が、インバー、コバール等の線膨張率の低い材料となっているため、熱による液晶パネル５３のバックフォーカス位置からのズレ、および、液晶パネル５３間での画素ズレを防止することができる。
液晶パネル５３は、液晶パネル５３の周囲に嵌合される枠部材等を備えておらず、保持部材５４に直接取り付けられることにより支持されている。これにより、送風が液晶パネル５３に当たりやすくなり、液晶パネル５３の冷却性を向上させることができる。
さらに、液晶パネル５３が枠部材等を備えていないことから、光学装置４４の構成の簡素化、部品点数の低減、コスト削減、および、軽量化を図ることができる。
【００５４】
固定部材５１、保持部材５４およびカバー部材５５が、板状の金属板に板金加工を施すことで形成されていることから、形成が容易となる。さらに、液晶パネル５３が保持部材５４およびカバー部材５５に直接取り付けられるので、液晶パネル５３で生じた熱が金属製の保持部材５４に伝熱されやすくなる。従って、液晶パネル５３の冷却性を向上させることができる。
【００５５】
液晶パネル５３は、保持部材５４の−Ｚ軸方向側に取り付けられるため、固定部材５１および保持部材５４の間に配置された射出側偏光板５８の周囲のスペースを広くすることができる。従って、射出側偏光板５８の冷却性を向上させることできる。
また、液晶パネル５３の光束射出側に保持部材５４が配置されることによって、クロスダイクロイックプリズム４５の光束入射端面で反射された戻り光を、液晶パネル５３の光束射出側で反射させて、戻り光が液晶パネル５３に入射することを防止することができる。
【００５６】
ところで、色光以外の光、例えば、光源ランプ４１１から漏れた光や自然光等が液晶パネル５３に入射すると、液晶パネル５３で形成される光学像の質が損なわれる恐れがある。これに対し、本実施形態によれば、液晶パネル５３の−Ｚ軸方向側にカバー部材５５を設けることにより、色光以外の光を液晶パネル５３に入射することを防ぎ、液晶パネル５３で形成される光学像の質を維持することができる。
【００５７】
入射側偏光板５７が光学装置４４に一体的に設けられることから、プロジェクタ１の筐体に入射側偏光板５７を取り付けるための構成を備える必要が無い。また、偏光板調整部８が六軸調整装置７に備えられているため、光学装置４４における入射側偏光板５７の調整機構を省略することができる。従って、プロジェクタ１の小型化および構成の簡素化を図ることができる。
入射側偏光板５７が光学装置４４に一体的に設けられることから、光学ユニット４の設置後、光源ランプ４１１から射出された光束の光軸調整を行う際に、液晶パネル５３および入射側偏光板５７の互いの位置調整を不要とすることができる。
【００５８】
液晶パネル５３の位置決め作業に際して、固定部材５１および保持部材５４は、長孔５１５に係止突起５４４を挿入するだけで係止突起５４４が長孔５１５に支持されるので、互いに離脱・脱落しない。これにより、固定部材５１および保持部材５４の組合せ作業を容易に行うことができる。
本実施形態によれば、プロジェクタ１は、光学装置４４が前述のような作用および効果を具備するため、同様の作用および効果を享受することができる。
【００５９】
＜第２実施形態＞
図６、図７を参照して、第２実施形態について説明する。図６は、第２実施形態の光学変換部５Ａを斜め後方から見た斜視図、図７は、光学変換部５Ａの分解斜視図である。
なお、図６、図７では、図２、図３と同様に、クロスダイクロイックプリズム４５（図３）に入射する光束の光軸をＺ軸、該Ｚ軸と直交する２つの軸をＸ軸（水平軸）およびＹ軸（垂直軸）とする。
第２実施形態は、第１実施形態と比較して、光学変換部５Ａの構成が異なる。具体的には、遮蔽部材５２および保持部材５４Ａの構成、および、液晶パネル５３が保持部材５４Ａの＋Ｚ軸方向端面に貼り付けられる点が異なる。
【００６０】
第２実施形態の光学変換部５Ａは、図６、図７に示すように、固定部材５１と、遮蔽部材５２と、液晶パネル５３と、保持部材５４Ａとを備えている。
このうち、遮蔽部材５２は、基板５２１と、４つの係止片５２２と、抑え片５２３とを備えている。
基板５２１は、光軸と直交する矩形状板であり、中央に光束を透過させる開口５２４が形成されている。基板５２１は、基板５４１と比べて、Ｙ軸方向寸法およびＸ軸方向寸法が若干短い。基板５２１の＋Ｚ軸方向端面には、射出側偏光板５８が貼り付けられている。
【００６１】
係止片５２２は、基板５２１のＸ軸方向両縁にそれぞれ２つずつ設けられ、基板５２１から−Ｚ軸方向に向かって伸びる軸状部材である。係止片５２２の先端部は、Ｘ軸方向外側に折り曲げられ、爪部５２５が形成されている。
抑え片５２３は、基板５２１の−Ｙ軸方向縁から、−Ｙ軸方向および−Ｚ軸方向に向かって斜めに延設されている。
【００６２】
遮蔽部材５２は、光学変換部５Ａが構成された際に、後述する保持部材５４Ａのコ字状内部に配置される。遮蔽部材５２は、クロスダイクロイックプリズム４５の光束入射端面で反射された戻り光を、液晶パネル５３の＋Ｚ軸方向側で反射させて、戻り光が液晶パネル５３に入射することを防止している。
【００６３】
保持部材５４Ａは、Ｘ‐Ｚ断面がコ字状を有し、基板５４１と、保持部材起立片５４２と、４つの係合孔５４１Ａとを備えている。
基板５４１の４つの隅部には、Ｚ軸方向に貫通された孔５４４Ａが形成されている。孔５４４Ａには、光学装置４４の製造時に六軸調整装置７（図５）のチャック７３が挿通され、これにより、保持部材５４Ａが六軸調整装置７（図５）に保持される。
なお、基板５４１の＋Ｚ軸方向端面には、液晶パネル５３の光透過性防塵板５３４２が接着される。これにより、液晶パネル５３が保持部材５４Ａに保持される。
【００６４】
保持部材起立片５４２は、第１実施形態と比較して、Ｚ軸方向寸法が若干長くなっている。保持部材起立片５４２のＸ軸方向外側端面には、係止突起５４２ＡがＹ軸方向に沿って２つずつ形成されている。
係合孔５４１Ａは、各保持部材起立片５４２の−Ｚ軸方向縁に、Ｙ軸方向に沿って２つずつ形成されている。係合孔５４１Ａの一部は、基板５４１のＸ軸方向縁まで延設されている。係合孔５４１Ａには、光学変換部５Ａが構成された際に、係止片５２２の爪部５２５が係止される。これにより、保持部材５４Ａのコ字状内部において、液晶パネル５３の＋Ｚ軸方向側に遮蔽部材５２が保持される。
【００６５】
〔光学装置４４の製造方法〕
図６、図７を用いて、第２実施形態の光学装置４４の製造方法について説明する。
（ａ−Ａ）台座４４５（図３）を、クロスダイクロイックプリズム４５（図３）のＹ軸方向両端面に接着固定する。
（ｂ−Ａ）保持部材５４Ａの基板５４１の＋Ｚ軸方向端面に、液晶パネル５３の−Ｚ軸方向端面を接着固定する。
（ｃ−Ａ）遮蔽部材５２の各係止片５２２の爪部５２５を、保持部材５４Ａの各係合孔５４１Ａに係止させ、遮蔽部材５２を保持部材５４Ａのコ字状内部に嵌め込む。
【００６６】
（ｄ−Ａ）保持部材５４Ａを固定部材５１のコ字状内部に嵌め込み、係止突起５４２Ａを固定部材起立片５１２の長孔５１５に係止させる。さらに、注入孔５１６を介して、固定部材起立片５１２および保持部材起立片５４２の当接面（接着面Ｓ）に紫外線硬化型接着剤を注入する。
（ｅ−Ａ）保持部材５４Ａの孔５４４Ａに六軸調整装置（図５）のチャック７３を挿通させ、部材５１〜５４Ａを六軸調整装置に保持させる。
（ｆ−Ａ）クロスダイクロイックプリズム４５の光束入射端面に、固定部材５１の基板５１１の＋Ｚ軸方向端面を紫外線硬化型接着剤を介して当接させる（接着面Ｕ）。
【００６７】
（ｇ−Ａ）六軸調整装置７を操作し、接着面Ｕを摺動面として、部材５１〜５４Ａを、台座４４５に対しＸ軸方向、Ｙ軸方向、Ｚθ方向（Ｚ軸回り）に微動させて、微アライメント調整を行う。
（ｈ−Ａ）六軸調整装置７を操作し、接着面Ｓを摺動面として、保持部材５４Ａを、固定部材５１に対してＺ軸方向、Ｘθ方向（Ｘ軸回り）に微動させて、微フォーカス調整を行う。
（ｉ−Ａ）六軸調整装置７により各接着面Ｓ，Ｕに紫外線を照射し、紫外線硬化型接着剤を硬化させる。これにより、各部材４４５，５１，５４Ａが接着面Ｓ，Ｕで互いに固定される。
（ｊ−Ａ）六軸調整装置７から保持部材５４Ａを取り外す。
【００６８】
本実施形態によれば、液晶パネル５３の−Ｚ軸方向側には保持部材５４Ａが配置されることから、保持部材５４Ａによって、色光以外の光が液晶パネル５３に入射することが防止され、液晶パネル５３で形成される光学像の質を維持することができる。
さらに、液晶パネル５３は、固定部材５１および保持部材５４Ａの間に形成された筒状の空間内に配置される。このように空間が筒状であることから、液晶パネル５３の周囲の風通しを良く、液晶パネル５３の冷却性を向上させることができる。
【００６９】
遮蔽部材５２を液晶パネル５３の＋Ｚ軸方向側に配置することで、クロスダイクロイックプリズム４５の光束入射端面で反射された戻り光を、液晶パネル５３の＋Ｚ軸方向側で反射させて、戻り光が液晶パネル５３に入射することを防止することができる。
遮蔽部材５２は、板状の金属板に板金加工を施すことで形成されていることから形成が容易となる。
なお、遮蔽部材５２を液晶パネル５３に当接するように配置してもよい。これより、液晶パネル５３で生じた熱が金属製の遮蔽部材５２に伝熱されやすくなり、液晶パネル５３の冷却性を向上させることができる。
また、光学装置４４の製造時に、保持部材５４Ａの孔５４４Ａにチャック７３を挿通させ、光学変換部５Ｂを六軸調整装置７（図５）に保持させることができるので、光学装置４４の検査および製造が容易となる。
【００７０】
＜第３実施形態＞
図８、図９を参照して、第３実施形態について説明する。図８は、第３実施形態の光学変換部５Ｂを斜め後方から見た斜視図、図９は、光学変換部５Ｂの分解斜視図である。
なお、図８、図９では、図２、図３と同様に、クロスダイクロイックプリズム４５（図３）に入射する光束の光軸をＺ軸、該Ｚ軸と直交する２つの軸をＸ軸（水平軸）およびＹ軸（垂直軸）とする。
第３実施形態は、第１実施形態と比較して、光学変換部５Ｂの構成が異なる。具体的には、固定部材５１Ｂ、遮蔽部材５２および保持部材５４Ｂの構成、さらに、液晶パネル５３が保持部材５４Ｂの＋Ｚ軸方向端面に貼り付けられる点が異なる。なお、遮蔽部材５２は、第２実施形態の遮蔽部材５２と同一構成である。
第３実施形態の光学変換部５Ｂは、図８、図９に示すように、固定部材５１Ｂと、遮蔽部材５２と、液晶パネル５３と、保持部材５４Ｂとを備えている。
【００７１】
固定部材５１Ｂは、Ｘ‐Ｚ断面がコ字状を有し、基板５１１と、２つの側面部５１１Ｂとを備えている。
２つの側面部５１１Ｂは、基板５１１のＸ軸方向両縁から−Ｚ軸方向へ向かってそれぞれ起立している。側面部５１１Ｂは、固定部材起立片５１２Ｂと、２つの折曲片５１３Ｂとを備えている。
固定部材起立片５１２Ｂは、側面部５１１ＢのＹ軸方向中央部が−Ｚ軸方向へ延設されたものである。各固定部材起立片５１２ＢのＸ軸方向外側端面には、Ｙ軸方向に沿って係止突起５１４Ｂが２つずつ形成されている。
【００７２】
折曲片５１３Ｂは、側面部５１１ＢのＹ軸方向両端部が、Ｘ軸方向内側へ向かって直角に折り曲げられたものである。この折り曲げによって、折曲片５１３Ｂは、Ｘ‐Ｙ平面と略平行な貼付面５１５Ｂを形成している。これら４つの貼付面５１５Ｂには、射出側偏光板５８が貼り付けられている。
【００７３】
保持部材５４Ｂは、Ｘ‐Ｚ断面がコ字状を有し、基板５４１と、２つの保持部材起立片５４１Ｂとを備えている。
基板５４１のＸ軸方向両縁には、Ｙ軸方向に沿って係合孔５４２Ｂがそれぞれ２つずつ形成されている。これら係合孔５４２Ｂは、Ｙ軸方向に長尺の矩形状を有する。係合孔５４２Ｂには、光学変換部５Ｂが構成された際に、係止片５２２が係止される。これにより、保持部材５４Ｂのコ字状内部において、遮蔽部材５２が保持される。なお、基板５４１の−Ｚ軸方向端面には、液晶パネル５３の光透過性防塵板５３４２が接着固定される。
【００７４】
保持部材起立片５４１Ｂは、基板５４１のＸ軸方向両縁から＋Ｚ軸方向へ向かってそれぞれ起立している。保持部材起立片５４１Ｂは、テーパ状縁５４３Ｂと、長孔５４４Ｂと、注入孔５４５Ｂとを備えている。
テーパ状縁５４３Ｂは、各保持部材起立片５４１Ｂの−Ｚ軸方向側縁に沿って形成され、−Ｚ軸方向に向かうにつれてＸ軸方向外側へ広がるテーパ状を有している。
長孔５４４Ｂは、保持部材起立片５４１ＢをＸ軸方向に貫通する略矩形状孔である。１つの保持部材起立片５４１Ｂにつき、２つの長孔５４４ＢがＹ軸方向に並列して形成されている。
【００７５】
注入孔５４５Ｂは、保持部材起立片５４１ＢをＸ軸方向に貫通する略円状孔である。１つの保持部材起立片５４１Ｂにつき、３つの注入孔５４５ＢがＹ軸方向に並列して形成され、各注入孔５４５Ｂの間には、前述した長孔５４４Ｂが形成されている。
保持部材５４Ｂは、光学変換部５Ｂが構成された際に、コ字状内部に固定部材５１Ｂが配置され、保持部材起立片５４１Ｂの内側端面および固定部材起立片５１２Ｂの外側端面が接着される。
【００７６】
本実施形態の光学装置４４は、第２実施形態と同様な手順で製造される。さらに、第２実施形態と同様に、接着面Ｓでフォーカス調整が行われ、接着面Ｕでアライメント調整が行われる。なお、固定部材５１Ｂの貼付面５１５Ｂには、予め射出側偏光板５８が貼り付けられている。このような光学装置４４の構成によれば、前記第２実施形態と同様な作用効果を奏することができる。
【００７７】
＜第４実施形態＞
図１０、図１１を参照して、第４実施形態について説明する。図１０は、第４実施形態の光学変換部５Ｃを斜め後方から見た斜視図、図１１は、光学変換部５Ｃの分解斜視図である。
なお、図１０、図１１では、図２、図３と同様に、クロスダイクロイックプリズム４５（図３）に入射する光束の光軸をＺ軸、該Ｚ軸と直交する２つの軸をＸ軸（水平軸）およびＹ軸（垂直軸）とする。
第４実施形態は、第１実施形態と比較して、光学変換部５Ｃの構成が異なる。具体的には、保持部材５４Ｃおよびカバー部材５５Ｃの構成が異なる。
第４実施形態の光学変換部５Ｃは、図１０、図１１に示すように、固定部材５１Ｃと、保持部材５４Ｃと、液晶パネル５３と、カバー部材５５Ｃとを備えている。
【００７８】
固定部材５１Ｃは、Ｘ‐Ｚ断面がコ字状を有し、基板５１１と、２つの固定部材起立片５１２Ｃとを備えている。
基板５１１の−Ｚ軸方向端面には、射出側偏光板５８が貼り付けられている。
２つの固定部材起立片５１２Ｃは、基板５１１のＸ軸方向両縁から、−Ｚ軸方向へ向かってそれぞれ起立している。各固定部材起立片５１２ＣのＸ軸方向外側端面には、係止突起５１４ＣがＹ軸方向に沿って２つずつ形成されている
【００７９】
保持部材５４Ｃは、Ｘ‐Ｚ断面がコ字状を有しており、基板５４１と、保持部材反起立片５４１Ｃと、保持部材起立片５４２Ｃとを備えている。
基板５４１の−Ｚ軸方向端面の開口５４３周縁には、液晶パネル５３の光透過性防塵板５３４１が接着されている。
保持部材反起立片５４１Ｃは、基板５４１のＸ軸方向両縁のＹ軸方向中央部から、−Ｚ軸方向へ向かってそれぞれ起立している。各保持部材反起立片５４１Ｃは、係止突出部５４３Ｃを備えている。
係止突出部５４３Ｃは、保持部材反起立片５４１ＣのＸ軸方向外側端面から、Ｘ軸方向外側へ向かって突出している。係止突出部５４３ＣのＸ軸方向外側端面は、−Ｚ軸方向に向かうにつれてＸ軸方向内側へ傾斜する傾斜面となっている。
【００８０】
保持部材起立片５４２Ｃは、基板５４１のＸ軸方向両縁のＹ軸方向両端部から、＋Ｚ軸方向へ向かってそれぞれ起立している。各保持部材起立片５４２Ｃは、長孔５４４Ｃと、注入孔５４５Ｃとを備えている。
長孔５４４Ｃは、保持部材起立片５４２ＣをＸ軸方向に貫通する略矩形状孔であり、保持部材起立片５４２Ｃの＋Ｙ軸方向端部に１つ形成される。長孔５４４Ｃには、固定部材５１Ｃの係止突起５１４Ｃが係止される。
注入孔５４５Ｃは、保持部材起立片５４２ＣをＸ軸方向に貫通する略円状孔であり、保持部材起立片５４２Ｃの−Ｙ軸方向端部に１つ形成される。
保持部材５４Ｃは、光学変換部５Ｃが構成された際に、コ字状内部に固定部材５１Ｃが配置され、保持部材起立片５４２Ｃの内側端面および固定部材起立片５１２Ｃの外側端面が接着される（接着面Ｓ）。
【００８１】
カバー部材５５Ｃは、Ｘ‐Ｚ断面がコ字状を有し、基板５５１と、カバー部材起立片５５１Ｃと、抑え片５５２Ｃとを備えている。なお、カバー部材５５Ｃは、第１実施形態のカバー部材５５と比べて、偏光板支持片５５５（図３）を備えていない点が大きく異なる。なお、本実施形態では、入射側偏光板は、光学部品用筐体に取り付けられる。
カバー部材起立片５５１Ｃは、基板５５１のＸ軸方向両縁のＹ軸方向中央部から、＋Ｚ軸方向へ向かってそれぞれ起立している。各カバー部材起立片５５１Ｃには、Ｘ軸方向に貫通された矩形状の係合開口５５３Ｃが形成されている。係合開口５５３Ｃには、係止突出部５４３Ｃが係止される。この係止により、カバー部材５５Ｃが保持部材５４Ｃに保持される。
抑え片５５２Ｃは、基板５５１の−Ｙ軸方向縁から、＋Ｚ軸方向側に向かって斜めに下ろされている。
【００８２】
なお、本実施形態の光学変換部５Ｃでは、接着面Ｓでフォーカス調整が行われ、接着面Ｕでアライメント調整が行われる。このような光学装置４４の構成によれば、前記第１実施形態と同様な作用効果を奏することができる。
【００８３】
〔前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００８４】
第１実施形態では、カバー部材５５（図３）は、偏光板支持片５５５を備えるとしたが、本発明では、カバー部材５５は、偏光板支持片５５５を備えず、光学変換部５は、入射側偏光板５７を備えていなくてもよい。
第２、第３実施形態において、保持部材５４Ａ，５４Ｂに、偏光板支持片が設けられていてもよい。すなわち、保持部材５４Ａ，５４Ｂの開口５４３のＸ軸方向両縁が−Ｚ軸方向に折り曲げられて延設され、さらに、−Ｚ軸方向先端がＸ軸方向外側へ向かって折り曲げられて偏光板支持片が形成されていてもよい。この偏光板支持片には、第１実施形態と同様に、入射側偏光板が貼り付けられる。このような構成によれば、第２の固定部材に支持面が一体的に形成されているため、光学装置４４の部品点数の低減、コスト削減、および、軽量化を図ることができる。
【００８５】
なお、第１実施形態では、六軸調整装置７の光学素子保持部７１は、チャック７３をカバー部材５５の孔５５４に挿通させて、カバー部材５５を保持するとしたが、本発明では、光学素子保持部７１は、吸着構造を備え、吸着によってカバー部材５５を保持してもよい。具体的には、カバー部材５５の−Ｚ軸方向端面にゴム製のリング状部材を貼りつけ、光学素子保持部７１がこのリング状部材を吸着することでカバー部材５５を保持する構成としてもよい。
また、液晶パネル５３が貼り付けられる保持部材５４，５４Ａ〜５４Ｃをアルミニウム製とすることで、保持部材５４，５４Ａ〜５４Ｃが、液晶パネル５３から発生した熱を効率よく吸収し、放熱させることができる。
なお、本発明では、光学変換素子として、入射側偏光板５７および射出側偏光板５８に加え、例えば、視野角補正板、位相差板、各種光学フィルター等を備えてもよい。
【産業上の利用可能性】
【００８６】
本発明は、光学装置およびプロジェクタに利用することができる。
【図面の簡単な説明】
【００８７】
【図１】本発明の第１実施形態に係る光学ユニットの光学系を模式的に示す平面図。
【図２】前記実施形態に係る光学装置を光束入射側から見た斜視図。
【図３】前記実施形態に係る光学装置の構造を示す分解斜視図。
【図４】前記実施形態に係る偏光板調整装置を模式的に示す平面図。
【図５】前記実施形態に係る六軸調整装置の液晶パネル保持構造を模式的に示す断面図。
【図６】本発明の第２実施形態に係る光学装置を光束入射側から見た斜視図。
【図７】前記実施形態に係る光学装置の構造を示す分解斜視図。
【図８】本発明の第３実施形態に係る光学装置を光束入射側から見た斜視図。
【図９】前記実施形態に係る光学装置の構造を示す分解斜視図。
【図１０】本発明の第４実施形態に係る光学装置を光束入射側から見た斜視図。
【図１１】前記実施形態に係る光学装置の構造を示す分解斜視図。
【符号の説明】
【００８８】
１…プロジェクタ、４４…光学装置、４５…クロスダイクロイックプリズム（色合成光学装置）、５１，５１Ｂ，５１Ｃ…固定部材（第１の固定部材）、５１１…基板（第１基部）、５１２，５１２Ｂ，５１２Ｃ…固定部材起立片（第１起立片）、５１３…開口、５２…遮蔽部材、５２４…開口、５３，５３Ｒ，５３Ｇ，５３Ｂ…液晶パネル（光変調装置）、５４，５４Ａ，５４Ｂ，５４Ｃ…保持部材、５４１…基板（第２基部）、５４２，５４２Ｃ…保持部材起立片（第２起立片）、５４３…開口、５５，５５Ｃ…カバー部材、５５３…開口、５５５…偏光板支持片（支持面）、５７…入射側偏光板。
【図１】
0004622826.tif 000002
【図２】
0004622826.tif 000003
【図３】
0004622826.tif 000004
【図４】
0004622826.tif 000005
【図５】
0004622826.tif 000006
【図６】
0004622826.tif 000007
【図７】
0004622826.tif 000008
【図８】
0004622826.tif 000009
【図９】
0004622826.tif 000010
【図１０】
0004622826.tif 000011
【図１１】
0004622826.tif 000012